(57)【要約】【課題】壁板材の接続をスムーズにでき、かつ強固な接続を長期間維持でき、さらに壁板材の接続により排水ドレインや樋としても作用し得る壁板材を提供する。【解決手段】壁板材１０の一方の端部には、凸条部１２の前脚片１２ｂの先端を内側に折り返して係止片１３を形成する一方、他方の端部には、壁板材１０の終端が立ち上がるように折り曲げて基底支持片１４を形成するともに、該基底支持片１４よりも内側にある基底部１１の一部を折り曲げ加工して鉤状係止受部１５を形成しており、鉤状係止受部１５に、隣設される壁板材１０の対応した係止片１３を挿入し係止させることで、隣設される壁板材１０の凸条部１２が、基底支持片１４で支持されて、鉤状係止受部１５を覆い隠して、壁板材１０の他方の端部に空洞部１６を形成するようにしている。【選択図】図１
2014214496.tif 000002
【特許請求の範囲】
【請求項１】
基板を折曲加工して基底部と凸条部とを基板の幅方向に沿って交互に形成した壁板材であって、
前記凸条部は、両脚辺となる前、後の脚片のそれぞれを、上底辺となる頂片の両端から相互に離れる方向に延出させた台形の形状に形成されており、
壁板材の一方の端部には、前記凸条部の前脚片の先端を内側に折り返して係止片を形成する一方、他方の端部には、壁板材の終端が立ち上がるように折り曲げて基底支持片を形成するともに、該基底支持片よりも内側にある基底部の一部を折り曲げ加工して鉤状係止受部を形成しており、
前記鉤状係止受部に、隣設される壁板材の対応した係止片を挿入し係止させることで、隣設される壁板材の前記凸条部が、前記基底支持片で支持されて、前記鉤状係止受部を覆い隠して、前記壁板材の他方の端部に空洞部を形成するようにしたことを特徴とする壁板材。
【請求項２】
請求項１において、
前記基底支持片を後方に傾斜させて、該基底支持片の端部で、隣設される壁板材の凸条部の後脚片側の入隅部にあてがう構造にしたことを特徴とする壁板材。
【請求項３】
請求項１または２において、
前記空洞部は、前記壁板材を、前記凸条部が上下方向に配されるように胴縁に固定させたときに、排水ドレイン空間を形成するようにしたことを特徴とする壁板材。
【請求項４】
請求項１から３のいずれかにおいて、
前記係止片は、前記凸条部側に山状に屈曲した屈曲部を有したことを特徴とする壁板材。
【請求項５】
請求項１から４のいずれかにおいて、
前記凸条部の前脚片が後脚片よりも緩やかに傾斜していることを特徴とする壁板材。
【発明の詳細な説明】
【技術分野】
【０００１】
本発明は、外装用の壁板材に関する。
【背景技術】
【０００２】
外装壁としては、基板を折曲加工して基底部と凸条部とを基板の幅方向に沿って交互に形成した折板状の壁板材を、胴縁などの構造材に連設するものが知られており、従来には、種々の形状、寸法の折板状の壁板材が提案されている（たとえば、特許文献１参照）。
【０００３】
特許文献１のものは、壁板材の一方の端部に被挿入空隙を設けて、そこに他の壁板材の端部を挿入して係止する構造となっている。
【先行技術文献】
【特許文献】
【０００４】
【特許文献１】特許第３７２５３８６号公報
【発明の概要】
【発明が解決しようとする課題】
【０００５】
しかしながら、上記特許文献のものは、被挿入空隙に他の壁板材の端部が抜け出ないように係止できるように、被挿入空隙を設けた端部は複雑に折り曲げられているため、接続により端部に大きな負荷がかかり、両壁板材の接続端部が損傷しやすくなるものと考えられる。
【０００６】
また、従来では、壁板材同士の接続部や壁板材の端部に空洞部を設けて毛細管現象を遮断する構造をなした壁板材が提案されているが、それらの空洞部は端部の折り曲げなどにより形成された小さな空間であり、排水ドレインや樋ほどの役目をなすものとはなっていない。
【０００７】
本発明は、このような事情を考慮して提案されたもので、壁板材の接続をスムーズにでき、かつ強固な接続を長期間維持でき、さらに壁板材の接続により排水ドレインや樋としても作用し得る壁板材を提供することにある。
【課題を解決するための手段】
【０００８】
上記目的を達成するために、請求項１に記載の壁板材は、基板を折曲加工して基底部と凸条部とを基板の幅方向に沿って交互に形成した壁板材であって、凸条部は、両脚辺となる前、後の脚片のそれぞれを、上底辺となる頂片の両端から相互に離れる方向に延出させた台形の形状に形成されており、壁板材の一方の端部には、凸条部の前脚片の先端を内側に折り返して係止片を形成する一方、他方の端部には、壁板材の終端が立ち上がるように折り曲げて基底支持片を形成するともに、該基底支持片よりも内側にある基底部の一部を折り曲げ加工して鉤状係止受部を形成しており、鉤状係止受部に、隣設される壁板材の対応した係止片を挿入し係止させることで、隣設される壁板材の凸条部が、基底支持片で支持されて、鉤状係止受部を覆い隠して、壁板材の他方の端部に空洞部を形成するようにしたことを特徴とする。
【０００９】
請求項２に記載の壁板材は、基底支持片を後方に傾斜させて、該基底支持片の端部で、隣設される壁板材の凸条部の後脚片側の入隅部にあてがう構造にしたことを特徴とする。
【００１０】
請求項３に記載の壁板材は、空洞部が、壁板材を、凸条部が上下方向に配されるように胴縁に固定させたときに、排水ドレイン空間を形成するようにしたことを特徴とする。
【００１１】
請求項４に記載の壁板材は、係止片が、凸条部側に山状に屈曲した屈曲部を有したことを特徴とする。
【００１２】
請求項５に記載の壁板材は、凸条部の前脚片が後脚片よりも緩やかに傾斜していることを特徴とする。
【発明の効果】
【００１３】
請求項１に記載の壁板材によれば、上述した構成としているため、壁板材の接続をスムーズにでき、かつ強固な接続を長期間維持できる。具体的には、鉤状係止受部に隣設される壁板材の係止片を挿入し係合させることで、隣設される壁板材の凸条部の前脚片は鉤状係止受部に接触し、さらに基底支持片が支点となって凸条部の裏面側から支えられた状態で位置決めされて、２枚の壁板材はスムーズに連結される。
【００１４】
このようにして連結された状態では、係止片と鉤状係止受部とによる係止部位と、基底支持片による凸条部の支持部位とにより連結による負荷は分散され、壁板材の連設による損傷、磨耗も軽減でき、強固な接続状態を長期間維持できる。
【００１５】
また、壁板材を連設した場合には、壁板材の他方の端部には閉鎖した空洞部が形成されるので、基底部と鉤状係止受部との接触隙間から雨水が毛細管現象によって浸入しても、毛細管現象は空洞部で遮断される。
【００１６】
さらに、凸条部が台形形状となっているため、壁板材を施工した際の美観の向上を図ることもできる。特に凸条部を非対称な台形形状とすれば、独特な美観を創出することができる。
【００１７】
請求項２に記載の壁板材によれば、壁板材が基底支持片の端部が隣設される壁板材の凸条部の後脚片側の入隅部にあてがわれる構造となっているため、凸条部の座屈などの損傷を防止できる。
【００１８】
請求項３に記載の壁板材によれば、壁板材間の接続により空洞部が形成される構成となっているため、壁板材を凸条部が上下方向に配されるように胴縁に固定させたときに、空洞部が排水ドレイン空間として作用し、雨水などを排水することができる。
【００１９】
請求項４に記載の壁板材によれば、係止片が山状の屈曲部を有した構造となっているため、係止片を鉤状係止受部に係止させたときに、前脚片の折返し部が基底部で支持され、隣設される壁板材をがたつきなくしっかりと固定できる。
【００２０】
請求項５に記載の壁板材によれば、凸条部の前脚片が後脚片よりも緩やかに傾斜しているため、係止部位に大きなエアポケットを形成することができる。前脚片の緩やかな傾斜形状により、引っ掛け係止の作業も楽に行える。
【図面の簡単な説明】
【００２１】
【図１】本発明の一実施形態に係る壁板材の概略断面図である。
【図２】同壁板材が施工された状態を示す斜視図である
【図３】（ａ）、（ｂ）は同壁板材の接続手順を示す断面図である。
【図４】本発明の他の実施形態に係る壁板材の概略断面図である。
【図５】（ａ）、（ｂ）は同壁板材の接続手順を示す断面図である。
【発明を実施するための形態】
【００２２】
以下に、本発明の実施の形態について、添付図面を参照して説明する。
まず、本発明の第１の実施形態に係る壁板材について、図１〜図３を参照しながら説明する。
【００２３】
図１に示した壁板材１０は、鋼板などの金属基板を折曲加工して基底部１１と凸条部１２とを基板の幅方向に沿って交互に２組形成した部材である。基底部１１と凸条部１２は、図２に示すように長手方向（立設された壁の上下方向）に延びた形状となっている。なお、基板は金属に限られず、硬質の合成樹脂などで製されたものでもよい。
【００２４】
凸条部１２は、両脚辺となる前、後の脚片１２ｂ、１２ｃのそれぞれを、上底辺となる頂片１２ａの両端から相互に離れる方向に延出させた台形の形状に形成されている。なお、図例のものは前脚片１２ｂ、後脚片１２ｃがともに傾斜しており、特に前脚片１２ｂが後脚片１２ｃよりも緩やかに傾斜している。
【００２５】
また、凸条部１２、１２間に挟まれた空間（外壁として施工した際に基底部１１の前方にできる空間）は、凸条部１２の台形と同形状のものを逆さにした台形の形状をなしている。つまり、壁板材１０は、幅方向に規則的に、非対称な台形による同形状の凹凸が連なった形状となっている。
【００２６】
壁板材１０の一方（図１中の左側）の端部には、凸条部１２の前脚片１２ｂの先端を内側に折り返してなる係止片１３が形成されている。他方の端部には、壁板材１０の終端が立ち上がるように基底部１１（終端基底部１１ａ）を折り曲げてなる基底支持片１４が形成されている。
【００２７】
この基底支持片１４よりも内側に連なる基底部１１には、その一部を折り曲げ加工してなる鉤状係止受部１５が形成されている。なお、この鉤状係止受部１５は、壁板材１０を連設した際に、連設される複数の壁板材１０間で、ピッチを同じにした規則的な凹凸が形成される位置に形成されている。
【００２８】
基底支持片１４は、基底部１１（終端基底部１１ａ）に対し直角に起立した起立部１４ａと、その上端より内側に向けて基底部１１に平行に延びた支持部１４ｂとを備えている。基底支持片１４の突出寸法は、基底部１１レベルより凸条部１２の頂片１２ａのレベルまでの寸法とほぼ同等とされる。
【００２９】
係止片１３は、折返し部１２ｂａを基点として折り返され、基板部１１のレベルとほぼ同一レベルに基板部１１にほぼ平行に延びており、その中央部には凸条部１２側（前方）に山状にやや突出した屈曲部１３ａが形成されている。また、係止片１３の端部には端部を折り返してなるリブ部１３ｂが形成されている。
【００３０】
鉤状係止受部１５は、その鉤部１５ａが基板部１１に対しほぼ平行な形状とされ、鉤部１５ａの基板部１１側（後方）には鉤部１５ａと基板部１１とよりなる係止溝空間１５ｂが形成されている。隣設される壁板材１０の係止片１３はこの係止溝空間１５ｂに挿入される。なお、鉤部１５ａの係止溝空間１５ｂ側の面は、図例のように、基底部１１に向けてやや傾斜した形状とすることが望ましい。
【００３１】
このような壁板材１０は、外装壁の部材として用いられ、たとえば図２の施工状態斜視図に示すように、支柱（不図示）間に架設され、上下方向に複数並設された胴縁２０などの構造材に対してねじ止めなどで連設、固定される。
【００３２】
このような壁板材１０の連設は、同一種類の壁板材１０を、係止片１３と鉤状係止受部１５との接続係止によりなされる。なお、図２においては、既設の壁板材１０には符号１０Ａを、隣設される壁板材１０には符号１０Ｂをさらに付した。後述する図４においても同様である。
【００３３】
隣設壁板材１０Ｂは、その係止片１３が、先に胴縁２０にねじで固定された既設壁板材１０Ａの鉤状係止受部１５の係止溝空間１５ｂに挿入され、その隣設壁板材１０Ｂの先頭の凸条部１２の頂片１２ａの裏面を、既設壁板材１０Ａの基底支持片１４にガイドさせながら隣設壁板材１０Ｂをスライドさせ、係止片１３の先端を係止溝空間１５ｂの底部１５ｃに当接させることで位置決めされ係止されて、仮固定される。係止状態では、隣設壁板材１０Ｂの前脚片１２ａの裏面に、既設壁板材１０Ａの鉤状係止受部１５の鉤部１５ａの先端が当接する。
【００３４】
このように壁板材１０には基底支持片１４が形成されているので、上述したようにスムーズな連設作業が行える。また、いったん壁板材１０、１０同士が係止すると、既設壁板材１０Ａの基底支持片１４の支持部１４ｂにより支持された先頭の凸条部１２の支持部位が係止片１３の反力支点となって、隣設壁板材１０Ｂの係止片１３は既設壁板材１０Ａの鉤状係止受部１５に強固に結合される。なお、連設作業はスライドによらず回転操作によってされてもよい。
【００３５】
また、２つの壁板材１０、１０は、鉤状係止受部１５と係止片１３とによる係止部位だけではなく、基底支持片１４による隣接壁板材１０Ｂの凸条部１２の頂片１２ａへの支持部位に対しても連結による負荷がかかる構成となっているため、負荷は分散され、壁板材１０の連設による損傷、磨耗も軽減でき、それによって壁板材１０の耐久性の向上も図ることができる。
【００３６】
さらに、基底支持片１４が終端に形成されているため、外力により変形しがちな終端部位を基底支持片１４によるリブ作用により端部を強固にでき、運搬などの取り扱いの際の端部の波打ちなどの変形を防止することができる。
【００３７】
隣設壁板材１０Ｂはこのような仮止め状態でもしっかりと固定されるが、ずれなどが発生しないようにさらに、係止片１３をそれ自身がずれ動かないような種々の形状とすることが望ましい。たとえば、係止片１３を凸条部１２側に、前脚片１２ｂと係止片１３とのなす角度が小さくなるように傾斜させて形成しておき、係止片１３の先端部が係止溝空間１５ｂへの挿入に際し鉤部１５ａの傾斜裏面にガイドされながら弾性変形していき、先端のリブ部１３ｂが係止溝空間１５ｂの底部１５ｃに到達した際には、係止片１３の弾性復帰力で鉤部１５ａを押圧して両部材の接続力を強化する構成としてもよい。
【００３８】
このように仮止めされた隣設壁板材１０は、さらに胴縁２０に対してねじ止めされて固定される。
【００３９】
以上のようにして両壁板材１０、１０を接続すると、隣設壁板材１０Ｂの先頭の凸条部１２の裏側には、隣設壁板材１０Ｂの凸条部１２の前脚片１２ｂと、頂片１２ａと、既設壁板材１０Ａの鉤状係止受部１５と、それに連なる終端基板部１１ａと、基底支持片１４とにより囲まれた大きな空洞部１６が形成される。
【００４０】
この空洞部１６は全側方を閉鎖された状態にあるため、雨水などを流す排水ドレイン空間（排水路）または樋として作用する。また、係止片１３と鉤状係止受部１５との接触隙間などから雨水などが毛細管現象によって浸入しても、この空洞部１６によって遮断することができる。
【００４１】
また、両壁板材１０、１０が接続されると、係止片１３と鉤状係止受部１５との係止部位には、２つの小空洞部１７、１７が形成される。これらの小空洞部１７、１７も毛細管現象を遮断するエアポケットとして作用する。
【００４２】
このような係止部位における小空洞部１７、１７は、凸条部１２を台形形状とすることで、より大きなものに形成され得る。特に本実施形態で採用した、前脚片１２ｂを緩やかに傾斜させた形状のものでは、より大きな小空洞部１７、１７を形成でき、また壁板材１０の引っ掛け係止の作業もしやすくできる。
【００４３】
また、係止片１３は屈曲部１３ａが形成されているため、係止片１３を鉤状係止受部１５に係止させたときに、前脚片１２ｂの折返し部１２ｂａが基底部１１で支持され、隣設壁板材１０Ｂをがたつきなくしっかりと固定できる。
【００４４】
またさらに、本実施形態の壁板材１０は、凸条部１２が非対称な台形形状となっているため、それによって壁板材１０を施工した際の外装壁の美観を向上させることもできる。
【００４５】
ついで、本発明の第２の実施形態に係る壁板材について、図４、図５を参照しながら説明する。なお、この壁板材１０の施工状態は図３に示したものと同様であるため、施工状態の図示は省略する。
【００４６】
図４に示した壁板材１０は、鋼板などの金属基板を折曲加工して基底部１１と凸条部１２とを基板の幅方向に沿って交互に２組形成した部材である。基底部１１、凸条部１２、係止片１３および鉤状係止受部１５は、図１に示したものと同形状であるため、同一の符号を付してその説明は省略する。
【００４７】
本実施形態の壁板材１０は、その終端に形成された基底支持片１４の形状が、第１の実施形態のものと相違する。すなわち、図４に示したように、基底支持片１４はその起立部１４ａが外側に傾斜している。支持部１４ｂは、起立部１４ａの上端より内側に向けて基底部１１に平行に延びている。つまり、起立部１４ａと支持部１４ｂとのなす角度は鋭角となっている。また、基底支持片１４の突出寸法は第１の実施形態の壁板材１０と同様である。
【００４８】
この壁板材１０は、たとえば図５（ａ）、（ｂ）に示したような手順で壁板材１０、１０間が接続できるようになっている。すなわち、この壁板材１０は、基底支持片１４が図１のものにくらべて外側に突出しているため、図５（ａ）のように、隣設壁板材１０Ｂを、係止片１３を鉤状係止受部１５に引っ掛けて少し撓ませて凸条部１２の下底側の開口を拡げた状態にすることで、既設壁板材１０Ａの基底支持片１４との接触を回避しながら、回転させて取り付けることができる。
【００４９】
隣設壁板材１０Ｂが既設壁板材１０Ａに接続されると、図５（ｂ）に示したように、既設壁板材１０Ａの基底支持片１４は、その支持部１４ｂが隣設壁板材１０Ｂの先頭の凸条部１２の裏面に当接するとともに、起立部１４ａと支持部１４ｂとの折曲部１４ｃ（端部）が、隣設壁板材１０Ｂの凸条部１２の頂片１２ａと後脚片１２ｃとの入隅部１２ｄにあてがわれる。
【００５０】
このように、隣設壁板材１０Ｂを施工した際には、既設壁板材１０Ａの基底支持片１４が隣設壁板材１０Ｂの頂片１２ａの裏面を支持するだけではなく、折曲部１４ｃが入隅部１２ｄにあてがわれる構成となっているため、頂片１２ａが裏面側より押圧されて座屈を起こすおそれはほとんどなく、壁板材１０の損傷、磨耗をさらに軽減でき、それによって壁板材１０の耐久性の向上も図ることができる。
【００５１】
以上の２つの実施形態では、壁板材１０として、基底部１１と凸条部１２とが交互に２組連続するものを例示したが、３組以上のものでもよく、また１組のみのものでもよい。
【符号の説明】
【００５２】
１０        壁板材
１０Ａ      既設壁板材
１０Ｂ      隣設壁板材
１１        基底部
１２        凸条部
１２ａ      頂片
１２ｂ      前脚片
１２ｃ      後脚片
１２ｄ      入隅部
１３        係止片
１３ａ      屈曲部
１４        基底支持片
１４ａ      起立部
１４ｂ      支持部
１４ｃ      折曲部（端部）
１５        鉤状係止受部
１６        空洞部
２０        胴縁
【図１】
2014214496.tif 000003
【図２】
2014214496.tif 000004
【図３】
2014214496.tif 000005
【図４】
2014214496.tif 000006
【図５】
2014214496.tif 000007
【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
基板を折曲加工して基底部と凸条部とを基板の幅方向に沿って交互に形成した壁板材であって、
前記凸条部は、両脚辺となる前、後の脚片のそれぞれを、上底辺となる頂片の両端から相互に離れる方向に延出させた台形の形状に形成されており、
壁板材の一方の端部には、前記凸条部の前脚片の先端を内側に折り返して係止片を形成する一方、他方の端部には、壁板材の終端が立ち上がるように折り曲げて基底支持片を形成するともに、該基底支持片よりも内側にある基底部の一部を折り曲げ加工して鉤状係止受部を形成しており、
前記鉤状係止受部に、隣設される壁板材の対応した係止片を挿入し係止させることで、隣設される壁板材の前記凸条部が、前記基底支持片で支持されて、前記鉤状係止受部を覆い隠して、前記壁板材の他方の端部に空洞部を形成する構造とされており、
前記基底支持片は、後方に傾斜され、該基底支持片の端部で、隣設される壁板材の凸条部の後脚片側の入隅部にあてがうようになっており、
前記空洞部は、前記鉤状係止受部と、それに連なる終端基底部と、前記基底支持片と、前記隣設された壁板材の前記凸条部の前脚片と、前記隣設された壁板材の前記凸条部の頂片とにより囲まれてなり、前記壁板材を前記凸条部が上下方向に配されるように胴縁に固定させたときに、前記空洞部が排水ドレイン空間として作用することを特徴とする壁板材。
【請求項２】
請求項１において、
前記係止片は、前記凸条部側に山状に屈曲した屈曲部を有したことを特徴とする壁板材。
【請求項３】
請求項１または２において、
前記凸条部の前脚片が後脚片よりも緩やかに傾斜していることを特徴とする壁板材。
【手続補正２】
【補正対象書類名】明細書
【補正対象項目名】全文
【補正方法】変更
【補正の内容】
【発明の詳細な説明】
【技術分野】
【０００１】
本発明は、外装用の壁板材に関する。
【背景技術】
【０００２】
外装壁としては、基板を折曲加工して基底部と凸条部とを基板の幅方向に沿って交互に形成した折板状の壁板材を、胴縁などの構造材に連設するものが知られており、従来には、種々の形状、寸法の折板状の壁板材が提案されている（たとえば、特許文献１参照）。
【０００３】
特許文献１のものは、壁板材の一方の端部に被挿入空隙を設けて、そこに他の壁板材の端部を挿入して係止する構造となっている。
【先行技術文献】
【特許文献】
【０００４】
【特許文献１】特許第３７２５３８６号公報
【発明の概要】
【発明が解決しようとする課題】
【０００５】
しかしながら、上記特許文献のものは、被挿入空隙に他の壁板材の端部が抜け出ないように係止できるように、被挿入空隙を設けた端部は複雑に折り曲げられているため、接続により端部に大きな負荷がかかり、両壁板材の接続端部が損傷しやすくなるものと考えられる。
【０００６】
また、従来では、壁板材同士の接続部や壁板材の端部に空洞部を設けて毛細管現象を遮断する構造をなした壁板材が提案されているが、それらの空洞部は端部の折り曲げなどにより形成された小さな空間であり、排水ドレインや樋ほどの役目をなすものとはなっていない。
【０００７】
本発明は、このような事情を考慮して提案されたもので、壁板材の接続をスムーズにでき、かつ強固な接続を長期間維持でき、さらに壁板材の接続により排水ドレインや樋としても作用し得る壁板材を提供することにある。
【課題を解決するための手段】
【０００８】
上記目的を達成するために、請求項１に記載の壁板材は、基板を折曲加工して基底部と凸条部とを基板の幅方向に沿って交互に形成した壁板材であって、凸条部は、両脚辺となる前、後の脚片のそれぞれを、上底辺となる頂片の両端から相互に離れる方向に延出させた台形の形状に形成されており、壁板材の一方の端部には、凸条部の前脚片の先端を内側に折り返して係止片を形成する一方、他方の端部には、壁板材の終端が立ち上がるように折り曲げて基底支持片を形成するともに、該基底支持片よりも内側にある基底部の一部を折り曲げ加工して鉤状係止受部を形成しており、鉤状係止受部に、隣設される壁板材の対応した係止片を挿入し係止させることで、隣設される壁板材の凸条部が、基底支持片で支持されて、鉤状係止受部を覆い隠して、壁板材の他方の端部に空洞部を形成する構造とされており、基底支持片は、後方に傾斜され、該基底支持片の端部で、隣設される壁板材の凸条部の後脚片側の入隅部にあてがうようになっており、空洞部は、鉤状係止受部と、それに連なる終端基底部と、基底支持片と、隣設された壁板材の凸条部の前脚片と、隣設された壁板材の凸条部の頂片とにより囲まれてなり、壁板材を凸条部が上下方向に配されるように胴縁に固定させたときに、空洞部が排水ドレイン空間として作用することを特徴とする。
【０００９】
（削除）
【００１０】
（削除）
【００１１】
請求項２に記載の壁板材は、係止片が、凸条部側に山状に屈曲した屈曲部を有したことを特徴とする。
【００１２】
請求項３に記載の壁板材は、凸条部の前脚片が後脚片よりも緩やかに傾斜していることを特徴とする。
【発明の効果】
【００１３】
請求項１に記載の壁板材によれば、上述した構成としているため、壁板材の接続をスムーズにでき、かつ強固な接続を長期間維持できる。具体的には、鉤状係止受部に隣設される壁板材の係止片を挿入し係合させることで、隣設される壁板材の凸条部の前脚片は鉤状係止受部に接触し、さらに基底支持片が支点となって凸条部の裏面側から支えられた状態で位置決めされて、２枚の壁板材はスムーズに連結される。
【００１４】
このようにして連結された状態では、係止片と鉤状係止受部とによる係止部位と、基底支持片による凸条部の支持部位とにより連結による負荷は分散され、壁板材の連設による損傷、磨耗も軽減でき、強固な接続状態を長期間維持できる。
【００１５】
また、壁板材を連設した場合には、壁板材の他方の端部には閉鎖した空洞部が形成されるので、基底部と鉤状係止受部との接触隙間から雨水が毛細管現象によって浸入しても、毛細管現象は空洞部で遮断される。
【００１６】
さらに、凸条部が台形形状となっているため、壁板材を施工した際の美観の向上を図ることもできる。特に凸条部を非対称な台形形状とすれば、独特な美観を創出することができる。
【００１７】
また、壁板材が基底支持片の端部が隣設される壁板材の凸条部の後脚片側の入隅部にあてがわれる構造となっているため、凸条部の座屈などの損傷を防止できる。
【００１８】
さらに、壁板材間の接続により空洞部が形成される構成となっているため、壁板材を凸条部が上下方向に配されるように胴縁に固定させたときに、空洞部が排水ドレイン空間として作用し、雨水などを排水することができる。
【００１９】
請求項２に記載の壁板材によれば、係止片が山状の屈曲部を有した構造となっているため、係止片を鉤状係止受部に係止させたときに、前脚片の折返し部が基底部で支持され、隣設される壁板材をがたつきなくしっかりと固定できる。
【００２０】
請求項３に記載の壁板材によれば、凸条部の前脚片が後脚片よりも緩やかに傾斜しているため、係止部位に大きなエアポケットを形成することができる。前脚片の緩やかな傾斜形状により、引っ掛け係止の作業も楽に行える。
【図面の簡単な説明】
【００２１】
【図１】本発明の一実施形態に係る壁板材の概略断面図である。
【図２】同壁板材が施工された状態を示す斜視図である
【図３】（ａ）、（ｂ）は同壁板材の接続手順を示す断面図である。
【図４】本発明の他の実施形態に係る壁板材の概略断面図である。
【図５】（ａ）、（ｂ）は同壁板材の接続手順を示す断面図である。
【発明を実施するための形態】
【００２２】
以下に、本発明の実施の形態について、添付図面を参照して説明する。
まず、本発明の第１の実施形態に係る壁板材について、図１〜図３を参照しながら説明する。
【００２３】
図１に示した壁板材１０は、鋼板などの金属基板を折曲加工して基底部１１と凸条部１２とを基板の幅方向に沿って交互に２組形成した部材である。基底部１１と凸条部１２は、図２に示すように長手方向（立設された壁の上下方向）に延びた形状となっている。なお、基板は金属に限られず、硬質の合成樹脂などで製されたものでもよい。
【００２４】
凸条部１２は、両脚辺となる前、後の脚片１２ｂ、１２ｃのそれぞれを、上底辺となる頂片１２ａの両端から相互に離れる方向に延出させた台形の形状に形成されている。なお、図例のものは前脚片１２ｂ、後脚片１２ｃがともに傾斜しており、特に前脚片１２ｂが後脚片１２ｃよりも緩やかに傾斜している。
【００２５】
また、凸条部１２、１２間に挟まれた空間（外壁として施工した際に基底部１１の前方にできる空間）は、凸条部１２の台形と同形状のものを逆さにした台形の形状をなしている。つまり、壁板材１０は、幅方向に規則的に、非対称な台形による同形状の凹凸が連なった形状となっている。
【００２６】
壁板材１０の一方（図１中の左側）の端部には、凸条部１２の前脚片１２ｂの先端を内側に折り返してなる係止片１３が形成されている。他方の端部には、壁板材１０の終端が立ち上がるように基底部１１（終端基底部１１ａ）を折り曲げてなる基底支持片１４が形成されている。
【００２７】
この基底支持片１４よりも内側に連なる基底部１１には、その一部を折り曲げ加工してなる鉤状係止受部１５が形成されている。なお、この鉤状係止受部１５は、壁板材１０を連設した際に、連設される複数の壁板材１０間で、ピッチを同じにした規則的な凹凸が形成される位置に形成されている。
【００２８】
基底支持片１４は、基底部１１（終端基底部１１ａ）に対し直角に起立した起立部１４ａと、その上端より内側に向けて基底部１１に平行に延びた支持部１４ｂとを備えている。基底支持片１４の突出寸法は、基底部１１レベルより凸条部１２の頂片１２ａのレベルまでの寸法とほぼ同等とされる。
【００２９】
係止片１３は、折返し部１２ｂａを基点として折り返され、基板部１１のレベルとほぼ同一レベルに基板部１１にほぼ平行に延びており、その中央部には凸条部１２側（前方）に山状にやや突出した屈曲部１３ａが形成されている。また、係止片１３の端部には端部を折り返してなるリブ部１３ｂが形成されている。
【００３０】
鉤状係止受部１５は、その鉤部１５ａが基板部１１に対しほぼ平行な形状とされ、鉤部１５ａの基板部１１側（後方）には鉤部１５ａと基板部１１とよりなる係止溝空間１５ｂが形成されている。隣設される壁板材１０の係止片１３はこの係止溝空間１５ｂに挿入される。なお、鉤部１５ａの係止溝空間１５ｂ側の面は、図例のように、基底部１１に向けてやや傾斜した形状とすることが望ましい。
【００３１】
このような壁板材１０は、外装壁の部材として用いられ、たとえば図２の施工状態斜視図に示すように、支柱（不図示）間に架設され、上下方向に複数並設された胴縁２０などの構造材に対してねじ止めなどで連設、固定される。
【００３２】
このような壁板材１０の連設は、同一種類の壁板材１０を、係止片１３と鉤状係止受部１５との接続係止によりなされる。なお、図２においては、既設の壁板材１０には符号１０Ａを、隣設される壁板材１０には符号１０Ｂをさらに付した。後述する図４においても同様である。
【００３３】
隣設壁板材１０Ｂは、その係止片１３が、先に胴縁２０にねじで固定された既設壁板材１０Ａの鉤状係止受部１５の係止溝空間１５ｂに挿入され、その隣設壁板材１０Ｂの先頭の凸条部１２の頂片１２ａの裏面を、既設壁板材１０Ａの基底支持片１４にガイドさせながら隣設壁板材１０Ｂをスライドさせ、係止片１３の先端を係止溝空間１５ｂの底部１５ｃに当接させることで位置決めされ係止されて、仮固定される。係止状態では、隣設壁板材１０Ｂの前脚片１２ａの裏面に、既設壁板材１０Ａの鉤状係止受部１５の鉤部１５ａの先端が当接する。
【００３４】
このように壁板材１０には基底支持片１４が形成されているので、上述したようにスムーズな連設作業が行える。また、いったん壁板材１０、１０同士が係止すると、既設壁板材１０Ａの基底支持片１４の支持部１４ｂにより支持された先頭の凸条部１２の支持部位が係止片１３の反力支点となって、隣設壁板材１０Ｂの係止片１３は既設壁板材１０Ａの鉤状係止受部１５に強固に結合される。なお、連設作業はスライドによらず回転操作によってされてもよい。
【００３５】
また、２つの壁板材１０、１０は、鉤状係止受部１５と係止片１３とによる係止部位だけではなく、基底支持片１４による隣接壁板材１０Ｂの凸条部１２の頂片１２ａへの支持部位に対しても連結による負荷がかかる構成となっているため、負荷は分散され、壁板材１０の連設による損傷、磨耗も軽減でき、それによって壁板材１０の耐久性の向上も図ることができる。
【００３６】
さらに、基底支持片１４が終端に形成されているため、外力により変形しがちな終端部位を基底支持片１４によるリブ作用により端部を強固にでき、運搬などの取り扱いの際の端部の波打ちなどの変形を防止することができる。
【００３７】
隣設壁板材１０Ｂはこのような仮止め状態でもしっかりと固定されるが、ずれなどが発生しないようにさらに、係止片１３をそれ自身がずれ動かないような種々の形状とすることが望ましい。たとえば、係止片１３を凸条部１２側に、前脚片１２ｂと係止片１３とのなす角度が小さくなるように傾斜させて形成しておき、係止片１３の先端部が係止溝空間１５ｂへの挿入に際し鉤部１５ａの傾斜裏面にガイドされながら弾性変形していき、先端のリブ部１３ｂが係止溝空間１５ｂの底部１５ｃに到達した際には、係止片１３の弾性復帰力で鉤部１５ａを押圧して両部材の接続力を強化する構成としてもよい。
【００３８】
このように仮止めされた隣設壁板材１０は、さらに胴縁２０に対してねじ止めされて固定される。
【００３９】
以上のようにして両壁板材１０、１０を接続すると、隣設壁板材１０Ｂの先頭の凸条部１２の裏側には、隣設壁板材１０Ｂの凸条部１２の前脚片１２ｂと、頂片１２ａと、既設壁板材１０Ａの鉤状係止受部１５と、それに連なる終端基底部１１ａと、基底支持片１４とにより囲まれた大きな空洞部１６が形成される。
【００４０】
この空洞部１６は全側方を閉鎖された状態にあるため、雨水などを流す排水ドレイン空間（排水路）または樋として作用する。また、係止片１３と鉤状係止受部１５との接触隙間などから雨水などが毛細管現象によって浸入しても、この空洞部１６によって遮断することができる。
【００４１】
また、両壁板材１０、１０が接続されると、係止片１３と鉤状係止受部１５との係止部位には、２つの小空洞部１７、１７が形成される。これらの小空洞部１７、１７も毛細管現象を遮断するエアポケットとして作用する。
【００４２】
このような係止部位における小空洞部１７、１７は、凸条部１２を台形形状とすることで、より大きなものに形成され得る。特に本実施形態で採用した、前脚片１２ｂを緩やかに傾斜させた形状のものでは、より大きな小空洞部１７、１７を形成でき、また壁板材１０の引っ掛け係止の作業もしやすくできる。
【００４３】
また、係止片１３は屈曲部１３ａが形成されているため、係止片１３を鉤状係止受部１５に係止させたときに、前脚片１２ｂの折返し部１２ｂａが基底部１１で支持され、隣設壁板材１０Ｂをがたつきなくしっかりと固定できる。
【００４４】
またさらに、本実施形態の壁板材１０は、凸条部１２が非対称な台形形状となっているため、それによって壁板材１０を施工した際の外装壁の美観を向上させることもできる。
【００４５】
ついで、本発明の第２の実施形態に係る壁板材について、図４、図５を参照しながら説明する。なお、この壁板材１０の施工状態は図３に示したものと同様であるため、施工状態の図示は省略する。
【００４６】
図４に示した壁板材１０は、鋼板などの金属基板を折曲加工して基底部１１と凸条部１２とを基板の幅方向に沿って交互に２組形成した部材である。基底部１１、凸条部１２、係止片１３および鉤状係止受部１５は、図１に示したものと同形状であるため、同一の符号を付してその説明は省略する。
【００４７】
本実施形態の壁板材１０は、その終端に形成された基底支持片１４の形状が、第１の実施形態のものと相違する。すなわち、図４に示したように、基底支持片１４はその起立部１４ａが外側に傾斜している。支持部１４ｂは、起立部１４ａの上端より内側に向けて基底部１１に平行に延びている。つまり、起立部１４ａと支持部１４ｂとのなす角度は鋭角となっている。また、基底支持片１４の突出寸法は第１の実施形態の壁板材１０と同様である。
【００４８】
この壁板材１０は、たとえば図５（ａ）、（ｂ）に示したような手順で壁板材１０、１０間が接続できるようになっている。すなわち、この壁板材１０は、基底支持片１４が図１のものにくらべて外側に突出しているため、図５（ａ）のように、隣設壁板材１０Ｂを、係止片１３を鉤状係止受部１５に引っ掛けて少し撓ませて凸条部１２の下底側の開口を拡げた状態にすることで、既設壁板材１０Ａの基底支持片１４との接触を回避しながら、回転させて取り付けることができる。
【００４９】
隣設壁板材１０Ｂが既設壁板材１０Ａに接続されると、図５（ｂ）に示したように、既設壁板材１０Ａの基底支持片１４は、その支持部１４ｂが隣設壁板材１０Ｂの先頭の凸条部１２の裏面に当接するとともに、起立部１４ａと支持部１４ｂとの折曲部１４ｃ（端部）が、隣設壁板材１０Ｂの凸条部１２の頂片１２ａと後脚片１２ｃとの入隅部１２ｄにあてがわれる。
【００５０】
このように、隣設壁板材１０Ｂを施工した際には、既設壁板材１０Ａの基底支持片１４が隣設壁板材１０Ｂの頂片１２ａの裏面を支持するだけではなく、折曲部１４ｃが入隅部１２ｄにあてがわれる構成となっているため、頂片１２ａが裏面側より押圧されて座屈を起こすおそれはほとんどなく、壁板材１０の損傷、磨耗をさらに軽減でき、それによって壁板材１０の耐久性の向上も図ることができる。
【００５１】
以上の２つの実施形態では、壁板材１０として、基底部１１と凸条部１２とが交互に２組連続するものを例示したが、３組以上のものでもよく、また１組のみのものでもよい。
【符号の説明】
【００５２】
１０        壁板材
１０Ａ      既設壁板材
１０Ｂ      隣設壁板材
１１        基底部
１１ａ      終端基底部
１２        凸条部
１２ａ      頂片
１２ｂ      前脚片
１２ｃ      後脚片
１２ｄ      入隅部
１３        係止片
１３ａ      屈曲部
１４        基底支持片
１４ａ      起立部
１４ｂ      支持部
１４ｃ      折曲部（端部）
１５        鉤状係止受部
１６        空洞部
２０        胴縁